【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
少なくとも１５０ないし２００の充放電サイクルの対リチウムサイクル性能を有する、電極を含む電池のセルであって、
該電極は、２０ｎｍ未満の粒子寸法を有するナノ微粒子の形態になっている表面官能化固体金属酸化物を含み、
該表面官能化固体金属酸化物は、少なくともその表面上で５．５未満のｐＨと−１２よりも大きなハメット関数Ｈ０を有し、そして
そのｐＨは該表面官能化固体金属酸化物の乾燥した形態のものを水中で５重量％で再浮遊させたときに測定されたものである、
上記の電池のセル。
【請求項２】
該ｐＨが２〜５の範囲である、請求項１に記載の電池のセル。
【請求項３】
該サイクル性能が、少なくとも３００の充放電サイクルである、請求項１に記載の電池のセル。
【請求項４】
該サイクル性能が、少なくとも４００の充放電サイクルである、請求項１に記載の電池のセル。
【請求項５】
該サイクル性能が、少なくとも５００の充放電サイクルである、請求項１に記載の電池のセル。
【請求項６】
該サイクル性能が、少なくとも６００の充放電サイクルである、請求項１に記載の電池のセル。
【請求項７】
該サイクル性能が、少なくとも７００の充放電サイクルである、請求項１に記載の電池のセル。
【請求項８】
該サイクル性能が、少なくとも８００の充放電サイクルである、請求項１に記載の電池のセル。
【請求項９】
該サイクル性能が、少なくとも９００の充放電サイクルである、請求項１に記載の電池のセル。
【請求項１０】
該表面官能化固体金属酸化物が、２００未満の分子量を有する少なくとも１種の電子求引性基で表面官能化されている、請求項１に記載の電池のセル。
【請求項１１】
該表面官能化固体金属酸化物が、４以下の炭素鎖長を有する少なくとも１種の電子求引性表面基で表面官能化されている、請求項１に記載の電池のセル。
【請求項１２】
該表面官能化固体金属酸化物が、Ｃｌ、Ｂｒ、ＢＯ３、ＳＯ４、ＰＯ４、ＣＨ３ＣＯＯ、Ｃ２Ｏ４、およびＣ６Ｈ５Ｏ７からなる群から選択される少なくとも１種の電子求引性表面基で表面官能化されている、請求項１に記載の電池のセル。
【請求項１３】
該表面官能化固体金属酸化物のリチウム化容量が、９００ｍＡｈ/ｇないし少なくとも１４００ｍＡｈ/ｇの範囲である、請求項１に記載の電池のセル。
【請求項１４】
リチウム金属を含む第二の電極をさらに含む、請求項１に記載の電池のセル。
【請求項１５】
該表面官能化固体金属酸化物が球状の形態を有する、請求項１に記載の電池のセル。
【請求項１６】
該表面官能化固体金属酸化物が細長い形態を有する、請求項１に記載の電池のセル。
【請求項１７】
該表面官能化固体金属酸化物が板状の形態を有する、請求項１に記載の電池のセル。
【請求項１８】
該表面官能化固体金属酸化物が実質的に単分散している、請求項１に記載の電池のセル。
【請求項１９】
該表面官能化固体金属酸化物が酸化鉄を含む、請求項１に記載の電池のセル。
【請求項２０】
該表面官能化固体金属酸化物の金属が、アンチモン、ビスマス、チタン、ジルコニウム、マンガン、またはインジウムのうちの１種以上を含む、請求項１に記載の電池のセル。
【請求項２１】
該電極がアノードとして構成されている、請求項１に記載の電池のセル。
【請求項２２】
該表面官能化固体金属酸化物が、該電極の１０重量％〜５０重量％を構成している、請求項１に記載の電池のセル。
【請求項２３】
該表面官能化固体金属酸化物が、該電極の１０重量％〜３３重量％を構成している、請求項１に記載の電池のセル。
【請求項２４】
該表面官能化固体金属酸化物が、該電極の３３重量％〜５０重量％を構成している、請求項１に記載の電池のセル。
【請求項２５】
該表面官能化固体金属酸化物が、該電極の５０重量％〜８０重量％を構成している、請求項１に記載の電池のセル。
【請求項２６】
少なくとも１５０ないし２００の充放電サイクルの対リチウムサイクル性能を有する、電極を含む電池のセルであって、
該電極は、２０ｎｍ未満の粒子寸法を有するナノ微粒子の形態になっている表面官能化固体金属酸化物を含み、
該表面官能化固体金属酸化物はＭｍＯｘ/Ｇの式によってさらに特徴づけられ、ここで、
Ｍｍは金属であり、ｍは少なくとも１であって５以下であり、
Ｏｘは合計の酸素であり、ｘは少なくとも１であって２１以下であり、
ＭｍＯｘは金属酸化物であり、
Ｇは少なくとも１種の電子求引性表面基であり、そして
「 / 」は金属酸化物と電子求引性表面基の間に区別をつけており、
該表面官能化固体金属酸化物は、少なくともその表面上で５．５未満のｐＨと−１２よりも大きなハメット関数Ｈ０を有し、そして
そのｐＨは表面官能化固体金属酸化物の乾燥した形態のものを水中で５重量％で再浮遊させたときに測定されたものである、
上記のセル。
【請求項２７】
該ｐＨが２〜５の範囲である、請求項２６に記載の電池のセル。
【請求項２８】
該サイクル性能が、少なくとも３００の充放電サイクルである、請求項２６に記載の電池のセル。
【請求項２９】
該サイクル性能が、少なくとも４００の充放電サイクルである、請求項２６に記載の電池のセル。
【請求項３０】
該サイクル性能が、少なくとも５００の充放電サイクルである、請求項２６に記載の電池のセル。
【請求項３１】
該サイクル性能が、少なくとも６００の充放電サイクルである、請求項２６に記載の電池のセル。
【請求項３２】
該サイクル性能が、少なくとも７００の充放電サイクルである、請求項２６に記載の電池のセル。
【請求項３３】
該サイクル性能が、少なくとも８００の充放電サイクルである、請求項２６に記載の電池のセル。
【請求項３４】
該サイクル性能が、少なくとも９００の充放電サイクルである、請求項２６に記載の電池のセル。
【請求項３５】
該表面官能化固体金属酸化物が、２００未満の分子量を有する少なくとも１種の電子求引性基で表面官能化されている、請求項２６に記載の電池のセル。
【請求項３６】
該表面官能化固体金属酸化物が、４以下の炭素鎖長を有する少なくとも１種の電子求引性表面基で表面官能化されている、請求項２６に記載の電池のセル。
【請求項３７】
該表面官能化固体金属酸化物が、Ｃｌ、Ｂｒ、ＢＯ３、ＳＯ４、ＰＯ４、ＣＨ３ＣＯＯ、Ｃ２Ｏ４、およびＣ６Ｈ５Ｏ７からなる群から選択される少なくとも１種の電子求引性表面基で表面官能化されている、請求項２６に記載の電池のセル。
【請求項３８】
該表面官能化固体金属酸化物のリチウム化容量が、９００ｍＡｈ/ｇないし少なくとも１４００ｍＡｈ/ｇの範囲である、請求項２６に記載の電池のセル。
【請求項３９】
リチウム金属を含む第二の電極をさらに含む、請求項２６に記載の電池のセル。
【請求項４０】
該表面官能化固体金属酸化物が球状の形態を有する、請求項２６に記載の電池のセル。
【請求項４１】
該表面官能化固体金属酸化物が細長い形態を有する、請求項２６に記載の電池のセル。
【請求項４２】
該表面官能化固体金属酸化物が板状の形態を有する、請求項２６に記載の電池のセル。
【請求項４３】
該表面官能化固体金属酸化物が実質的に単分散している、請求項２６に記載の電池のセル。
【請求項４４】
該表面官能化固体金属酸化物が酸化鉄を含む、請求項２６に記載の電池のセル。
【請求項４５】
該表面官能化固体金属酸化物の金属が、アンチモン、ビスマス、チタン、ジルコニウム、マンガン、またはインジウムのうちの１種以上を含む、請求項２６に記載の電池のセル。
【請求項４６】
該電極がアノードとして構成されている、請求項２６に記載の電池のセル。
【請求項４７】
該表面官能化固体金属酸化物が、該電極の１０重量％〜５０重量％を構成している、請求項２６に記載の電池のセル。
【請求項４８】
該表面官能化固体金属酸化物が、該電極の１０重量％〜３３重量％を構成している、請求項２６に記載の電池のセル。
【請求項４９】
該表面官能化固体金属酸化物が、該電極の３３重量％〜５０重量％を構成している、請求項２６に記載の電池のセル。
【請求項５０】
該表面官能化固体金属酸化物が、該電極の５０重量％〜８０重量％を構成している、請求項２６に記載の電池のセル。